(57)【要約】【課題】  未使用時の容器を衛生的に保つことができ、しかも容器の内容物に関する情報記載の製造の手間を軽減することができる表示ラベルを提供する。【解決手段】  医薬組成物が収容された容器３３（医薬品３０）を第１、第２ラベル１０，２０で挟み込んで封入するとともに、情報Ｊの表示スペースを有する分割ラベル２が付着した状態で容器３３の取り出しを可能にする。これにより、未使用時の容器３３を衛生的に保つことができる。また、容器３３とその容器３３を包装する包装体（第１、第２ラベル１０，２０）との両方に情報Ｊを記載する必要がなくなり、情報記載の製造の手間を軽減することができる。【選択図】    図１
2014085459.tif 000002
【特許請求の範囲】
【請求項１】
容器を挟み込んで封入するとともに容器の内容物に関する情報の表示スペースを有する第１、第２ラベルと、
第１、第２ラベルの少なくとも一方の一部に切り離し可能に形成され、かつ前記情報の表示スペースを含んで前記容器に貼着された分割ラベルと、
前記容器を封入した第１、第２ラベルを開封するための切り離し可能な開封部と、
前記第１、第２ラベルの外周部分のうち少なくとも一方の外周部分に設けられ、相手側の外周部分に粘着することで第１、第２ラベル間に容器を封入する封入粘着部と、を備え、
前記開封部を開封して前記容器を第１、第２ラベルから取り出す際に、前記分割ラベルが切り離されて取り出された容器に付着することを特徴とする表示ラベル。
【請求項２】
前記容器は、その一端部分が前記開封部の位置からはみ出した状態で封入され、このはみ出した部分が開封部を切り離して容器を前記第１、第２ラベルから取り出す際に摘むための摘み部となる請求項１に記載の表示ラベル。
【請求項３】
前記封入粘着部は、前記第１、第２ラベルのそれぞれの外周部分に設けられて相互間で粘着し合う請求項１又は２に記載の表示ラベル。
【請求項４】
前記容器の内容物に関する情報は、前記第１、第２ラベルの表面にそれぞれ記載される請求項１ないし請求項３のいずれか１項に記載の表示ラベル。
【請求項５】
前記容器の内容物に関する情報は、前記分割ラベルの情報の表示スペースを含んでラベルの表面全体に記載される請求項１ないし請求項４のいずれか１項に記載の表示ラベル。
【請求項６】
前記容器は、偏平帯状をなし、その長手方向の両端部側がそれぞれ内側に折りたたまれ、その一端部が吸い口部に、他端部が吸い口部を一時的に挿入する吸い口挿入部とされ、残る中間部に前記分割ラベルが第１粘着部で粘着され、かつ前記吸い口挿入部と前記第１、第２ラベルの一部とが第２粘着部で剥離可能に粘着され、前記開封部を開封して容器を引き出す際に、前記第２粘着部が引き出し方向の抵抗となって、前記吸い口部が前記吸い口挿入部から抜け出す請求項１ないし請求項５のいずれか１項に記載の表示ラベル。
【発明の詳細な説明】
【技術分野】
【０００１】
本発明は、容器の内容物に関する情報の表示スペースを備えた表示ラベルに関する。
【背景技術】
【０００２】
特許文献１に示すように、１回服用分の医薬組成物をスティック型包装体（容器）に封入し、医薬組成物を服用する際に、スティック型包装体の上端部に設けられた切り口線（ミシン目）を開封してその開封部分を飲み口とすることで、容器に収容された医薬組成物の携帯性を向上させたものが提案されている。しかしながら、この構成では、医薬組成物を携帯する場合、スティック型包装体をカバンの中に入れて持ち運ぶなど、包装体自体が直接外部と接触することになる。このため、飲み口となる切り口線付近にゴミが付着するようなときには、その飲み口部分を使用者が口の中に入れることになるので、衛生面で問題が生じるおそれがある。
また、とりわけ医薬組成物などの内容物を収容する容器においては、その内容物に関する情報、例えば内容物の構成材料、販売品名、製造元、製造番号、使用期限等を記載する必要がある。このため、容器を包装するような場合、容器自体はもとより容器を包装する包装体にも同一の情報を記載する必要が生じ、その分製造に手間がかかるという問題が生じる。
【先行技術文献】
【特許文献】
【０００３】
【特許文献１】特開２００５−２７１９７４号公報
【発明の概要】
【発明が解決しようとする課題】
【０００４】
本発明の課題は、未使用時の容器を衛生的に保つことができ、しかも容器の内容物に関する情報記載の製造の手間を軽減することができる表示ラベルを提供することにある。
【課題を解決するための手段及び発明の効果】
【０００５】
上記課題を解決するために、本発明の表示ラベルは、
容器を挟み込んで封入するとともに容器の内容物に関する情報の表示スペースを有する第１、第２ラベルと、
第１、第２ラベルの少なくとも一方の一部に切り離し可能に形成され、かつ前記情報の表示スペースを含んで前記容器に貼着された分割ラベルと、
前記容器を封入した第１、第２ラベルを開封するための切り離し可能な開封部と、
前記第１、第２ラベルの外周部分のうち少なくとも一方の外周部分に設けられ、相手側の外周部分に粘着することで第１、第２ラベル間に容器を封入する封入粘着部と、を備え、
前記開封部を開封して前記容器を第１、第２ラベルから取り出す際に、前記分割ラベルが切り離されて取り出された容器に付着することを特徴とする。
【０００６】
このように、内容物を収容した容器を第１、第２ラベルで挟み込んで封入することにより、未使用時の容器を衛生的に保つことができる。また、第１、第２ラベルの少なくとも一方に形成されて内容物に関する情報の表示スペースを有する分割ラベルが容器に付着した状態で、容器を第１、第２ラベルから取り出すことができる。このため、内容物に関する情報を直接容器に記載する必要がなくなるので、内容物に関する情報記載の製造の手間を軽減することができる。
また、封入粘着部を設けて各ラベル間で容器を挟み込んで封入する構成によれば、一方のラベル上に容器を載置し、この状態で上方から他方のラベルを貼り合わせるという手順で容器を封入することができる。このため、偏平帯状の容器から円筒形状の容器まで様々な形状の容器を画一的かつ簡単な手順で封入することができる。
【図面の簡単な説明】
【０００７】
【図１】本発明の実施形態に係る医薬品を封入した表示ラベルを示す斜視図。
【図２】表示ラベルを構成する第１ラベルを示す平面図。
【図３】表示ラベルを構成する第２ラベルを示す平面図。
【図４】医薬品を封入した表示ラベルを示す縦断面図。
【図５】表示ラベルから医薬品を取り出す際の操作手順を示す縦断面図。
【図６】表示ラベルから医薬品を取り出す際の操作手順を示す縦断面図。
【図７】表示ラベルから医薬品を取り出す際の操作手順を示す縦断面図。
【発明を実施するための形態】
【０００８】
以下、本発明の実施形態について図面を参照して説明する。図１に示すように、表示ラベル１は、容器（本実施形態では医薬品３０の容器３３を例示する）を挟み込んで封入する表示ラベルであり、容器３３を上方から挟み込む第１ラベル１０と、容器３３を下方から挟み込む第２ラベル２０とから構成されている。
【０００９】
第１ラベル１０は、図２に示すように、長方形状の白色フィルムで形成され、その下面には、第２ラベル２０との相互の貼着によって容器３３を封入する封入粘着部としての封入粘着層１１と、容器３３の上面部分に貼付する第１粘着部としての貼付粘着層１２とが形成されている。封入粘着層１１は、第１ラベル１０の外周部分で全周に亘って形成されている。貼付粘着層１２は、第１ラベル１０のほぼ中央位置で第１ラベル１０の長手方向に沿って延びる長方形状の領域に形成されている。図２に示す二点鎖線のハッチング部分は、第１ラベル１０の粘着層１１，１２が形成されていない非粘着領域をなしている。
【００１０】
また、第１ラベル１０には、その長手方向における寸法の１／３程度の部分で表示ラベル１を分断して開封する開封ミシン目１３と、開封ミシン目１３の一部を含んで貼付粘着層１２の形成領域を取り囲むようにして形成され、かつ容器３３を表示ラベル１から取り出す際に容器３３に貼付された貼付粘着層１２の形成領域を分割ラベル２として表示ラベル１から分割する分割ミシン目１４とが形成されている。封入及び貼付の各粘着層１１，１２が形成された第１ラベル１０の下面とは反対側の面となる上面（表面）には、表示ラベル１に封入される容器３３の内容物に関する情報、例えば医薬品３０の構成材料、販売品名、製造元、製造番号、使用期限、開封方法、特長等を示す様々な情報Ｊが表面全体（封入粘着層１１の表側部分を含む）に印刷されている。また、分割ラベル２の形成領域内となる第１ラベル１０の上面部分（情報の表示スペース）においても同様に情報Ｊが印刷されている。
【００１１】
なお、分割ラベル２に印刷される情報Ｊは、表示ラベル１を開封して取り出した容器３３の表示情報にもなるものであり、上記した医薬品３０の構成材料、販売品名、製造元、製造番号、使用期限、開封方法、特長等のうち、使用者が医薬品３０を服用する直前あるいは医薬品３０の服用後の容器３３において表示内容が有用となる情報（例えば医薬品３０の構成材料、販売品名、製造元、製造番号、使用期限）が印刷される。
【００１２】
一方、第２ラベル２０は、図３に示すように、第１ラベル１０と同一形状の白色フィルムで形成され、その下面には、第１ラベル１０との相互の貼着によって容器３３を封入する封入粘着部としての封入粘着層２１と、容器３３の下側部分と剥離可能に粘着する第２粘着部としての剥離粘着層２２とが形成されている。封入粘着層２１は、第１ラベル１０の封入粘着層１１と同様に、第２ラベル２０の外周部分で全周に亘って形成されている。剥離粘着層２２は、第２ラベル２０のほぼ中央位置で第２ラベル２０の短手方向に沿って延びる長方形状の領域に形成されている。図３に示す二点鎖線のハッチング部分は、第２ラベル２０の粘着層２１，２２が形成されていない非粘着領域をなしている。
【００１３】
また、第２ラベル２０には、その長手方向における寸法の１／３程度の部分、言い換えれば、第１ラベル１０の開封ミシン目１３と対応する位置で表示ラベル１を分断して開封する開封ミシン目２３が形成されている。これにより、開封ミシン目１３，２３は、容器３３（医薬品３０）を封入した表示ラベル１（第１、第２ラベル１０，２０）を開封するための切り離し可能な開封部３を構成する。封入及び剥離の各粘着層２１，２２が形成された第２ラベル２０の下面とは反対側の面となる上面（表面）には、容器３３の内容物に関する情報Ｊ（例えば医薬品３０の構成材料、販売品名、製造元、製造番号、使用期限、開封方法、特長等）と容器３３を図案化したデザイン画Ｄとが表面全体（封入粘着層２１の表側部分を含む）に印刷されている。
【００１４】
なお、表示ラベル１を構成する第１、第２ラベル１０，２０の原料としては特に限定されず、例えばポリエチレンテレフタレートなどのポリエステル系樹脂、ポリスチレンなどのスチレン系樹脂、ポリプロピレンなどのオレフィン系樹脂、塩化ビニル系樹脂などの熱可塑性樹脂から構成される１種又は２種以上の混合物を含むフィルムを用いることができる。そして、このフィルムに粘着層、印刷層、非粘着層などを既存の方法により積層して第１、第２ラベル１０，２０を形成する。また、実施形態中では、第１、第２ラベル１０，２０をそれぞれ白色フィルムとしているが、ラベルの材質及び色は特に限定するものではない。なお、表示ラベル１（第１、第２ラベル１０，２０）を透明フィルムで形成することも可能であり、この場合には、表示ラベル１に封入された容器３３（医薬品３０）を外部から確認することができる。
【００１５】
次に、表示ラベル１によって封入される容器３３（医薬品３０）について説明する。医薬品３０は、図４に示すように、医薬組成物３１と嚥下補助物質３２とがそれぞれ偏平帯状の容器３３に収容されることで構成されている。なお、図４中には、偏平帯状の容器３３が折り畳まれて表示ラベル１に封入されている状態を示す。嚥下補助物質３２は、水分を含有する滅菌された粘液状のゼリーであり、医薬品３０の使用者が医薬組成物３１を服用する際に、医薬組成物３１と一緒に嚥下することで医薬組成物３１の嚥下を補助する。
【００１６】
容器３３は、折り曲げ可能に柔らかく、かつヒートシールが可能な合成樹脂（例えば低密度ポリエチレンなど）製のシートからなる。そのシートは、先細りの縦長形状をなし、長手方向に沿って２つ折りされたシートの端と端とを貼り合わせ、２つ折り内部に医薬組成物３１を挿入するとともに嚥下補助物質３２を充填し、この状態で外部から熱を加えることによってシートの内面同士を融着させて医薬組成物３１及び嚥下補助物質３２を収容する。
【００１７】
具体的に、容器３３には、その長手方向の一端部（先細り側）に吸い口部３４が形成され、他端部には吸い口部３４を一時的に挿入するための吸い口挿入部３５が形成され、残る中間部には、嚥下補助物質３２を収容するための嚥下補助物質収容部３６が形成されている。
【００１８】
吸い口部３４は、医薬組成物３１を服用する際に使用者がくわえ込む部分であり、医薬組成物３１を収容するための医薬組成物収容部３７と、使用時における医薬組成物３１及び嚥下補助物質３２の出口となる出口形成予定部３８とを備えている。出口形成予定部３８は、未使用時には閉塞された通路であり、使用者が医薬組成物３１を服用する際の操作外力を受けて開放することで医薬組成物収容部３７と外部とを連通して、医薬組成物３１及び嚥下補助物質３２の出口となる。
【００１９】
医薬組成物収容部３７と嚥下補助物質収容部３６との間には、容器３３の長手方向に沿って、第１弱シール部３９、空室部４０、及び第２弱シール部４１が順次形成されている。空室部４０には何も収容されない。第１、第２弱シール部３９，４１は、それぞれ出口形成予定部３８と同様に、未使用時には閉塞された通路であり、使用者が医薬組成物３１を服用する際の操作外力を受けて開放することで嚥下補助物質収容部３６と空室部４０と医薬組成物収容部３７とを連通する。
【００２０】
また、嚥下補助物質収容部３６と吸い口挿入部３５との間には、強シール部４２が形成されている。強シール部４２は、第１、第２弱シール部３９，４１に比べてシール強度が強く、使用者が医薬組成物３１を服用する際の操作外力を受けても開放しない。これにより、嚥下補助物質収容部３６に収容された嚥下補助物質３２は、操作外力を受けた場合、吸い口挿入部３５側に押し出されることなく、確実に医薬組成物収容部３７側に押し出される。
【００２１】
そして、上記した医薬品３０は、容器３３のうち第２弱シール部４１と強シール部４２とをそれぞれ内側に折りたたみ、出口形成予定部３８が設けられている吸い口部３４を吸い口挿入部３５に挿入することで、使用者の口に入る部分（吸い口部３４）を直接外部に露出させない状態となる。
【００２２】
また、医薬品３０を使用する場合、使用者は、吸い口挿入部３５から引き出された吸い口部３４を口に入れ、この状態で容器３３のうち嚥下補助物質収容部３６が形成されている部分に力を加えることで、第１弱シール部３９と第２弱シール部４１とを順次開放する。そして、使用者は、嚥下補助物質収容部３６から出口形成予定部３８へ向かう方向に容器３３をしごくことで出口形成予定部３８を開放し、容器３３に収容された医薬組成物３１と嚥下補助物質３２とを一緒に口の中に入れる。
【００２３】
しかして、上記した医薬品３０（容器３３）は、図４に示す状態で表示ラベル１に封入される。具体的な封入手順は、粘着層２１，２２を上方に向けた状態の第２ラベル２０のほぼ中央部分上に、吸い口部３４が吸い口挿入部３５に挿入されて折りたたまれた容器３３を置く。このとき、容器３３は、吸い口部３４側を第２ラベル２０の開封ミシン目２３側に向け、かつ吸い口部３４を挿入した吸い口挿入部３５が剥離粘着層２２に粘着されるように第２ラベル２０上に置かれる。そして、この状態から開封ミシン目１３が開封ミシン目２３と対向する向きで、しかも容器３３の嚥下補助物質収容部３６の上面に貼付粘着層１２（分割ラベル２）が粘着されるようにして、第１ラベル１０の封入粘着層１１を第２ラベル２０の封入粘着層２１に貼り合わせる。
【００２４】
これにより、容器３３は、図４に示すように、第１ラベル１０と第２ラベル２０との間に挟み込まれるようにして表示ラベル１に封入される。また、このとき、容器３３は、一方の折りたたみ部分となる第１弱シール部３９から第２弱シール部４１までの部分が開封ミシン目１３，２３（開封部３）の位置（以下、これを開封位置Ｉという）からはみ出した状態で封入され、このはみ出した部分が開封部３を切り離して容器３３を第１、第２ラベル１０，２０（表示ラベル１）から取り出す際に摘むための摘み部４となる。このため、容器３３（医薬品３０）を表示ラベル１から取り出す際には、開封部３を切り離した状態で摘み部４が外部に露出することになるので、容器３３の取り出し操作が容易になる。
【００２５】
次に、表示ラベル１に封入された容器３３（医薬品３０）を取り出す際の操作について説明する。まず、容器３３が表示ラベル１に封入された図４の状態から、開封部３を切り離して開封位置Ｉから外側の表示ラベル１の部分を取り除く。これにより、表示ラベル１は、図５に示すように、容器３３の摘み部４を外部に露出した状態で開封される。次に、この状態から、摘み部４を摘んで容器３３を外側に引き出す操作を行う。これに伴い、第１ラベル１０の分割ミシン目１４が切り離されることで、図６に示すように、貼付粘着層１２を介して嚥下補助物質収容部３６の上面に付着された分割ラベル２が第１ラベル１０から切り取られる。
【００２６】
また、このとき、吸い口挿入部３５に粘着された第２ラベル２０の剥離粘着層２２が引き出し方向の抵抗となって、吸い口部３４が吸い口挿入部３５から徐々に引き抜かれる。そして、最終的には、図７に示すように、吸い口挿入部３５を粘着する剥離粘着層２２の粘着力が容器３３を引き出す力に負けて、吸い口挿入部３５が第２ラベル２０から剥離し、吸い口部３４が吸い口挿入部３５から完全に抜け出した状態で容器３３が表示ラベル１から取り出される。
【００２７】
以上のように、本実施形態の表示ラベル１（第１、第２ラベル１０，２０）は、医薬組成物３１が収容された容器３３（医薬品３０）を挟み込んで封入することにより、未使用時の容器３３を衛生的に保つことができる。したがって、使用者が医薬組成物３１を服用する際に容器３３の吸い口部３４を口の中に入れる場合でも、使用者に対して衛生的に医薬組成物３１を摂取させることができる。また、医薬品３０に関する情報Ｊの表示スペースを有する分割ラベル２が容器３３に付着した状態で、容器３３を第１、第２ラベル１０，２０から取り出すことができる。このため、情報Ｊを直接容器３３に記載する必要がなくなるので、医薬品３０に関する情報記載の製造の手間を軽減することができる。また、容器３３内の医薬品３０を服用する際には、開封部３を構成する開封ミシン目１３，２３を境として表示ラベル１を分断して容器３３を取り出すことになるので、開封状態が明確になり医薬品３０の使用／未使用状態を分かり易くできる。
【００２８】
また、第１、第２ラベル１０，２０は、それぞれ同一の外形形状に形成されるとともに、各々の外周部分には全周に亘って相互間で粘着して容器３３を封入する封入粘着層１１，２１が設けられている。これにより、容器３３を表示ラベル１に封入する際には、各ラベル１０，２０の外形を合わせるようにして容器３３を挟み込むことで封入粘着層１１，２１（封入粘着部）が相互に粘着し合い、結果としてより気密性を高めて容器３３を表示ラベル１に封入することができる。ただし、第１、第２ラベルのうちいずれか一方の外周部分にのみ封入粘着部を設けて容器を封入するようにしてもよい。
【００２９】
また、上記した封入粘着部を設けて各ラベル間で容器を挟み込んで封入する構成によれば、一方のラベル上に容器を載置し、この状態で上方から他方のラベルを貼り合わせるという手順で容器を封入することができる。このため、実施形態中に記載した偏平帯状の容器をはじめ、アンプル容器、シリンジ容器、バイアル容器等、様々な形状の容器を画一的かつ簡単な手順で封入することができる。したがって、手作業で容器を封入する場合には、その封入作業を容易にできる。また専用の封入装置を作りその封入装置で容器を封入する場合には、簡単な構造で封入装置を構成することができるとともに、様々な形状の容器に対して封入装置を汎用的に使用することができる。
【００３０】
また、本実施形態の表示ラベル１は、容器３３の内容物に関する情報Ｊが第１、第２ラベル１０，２０の表面にそれぞれ記載されている。このため、机等に表示ラベル１を置いたときに、表示ラベル１がいずれの載置状態となっても（第１ラベル１０あるいは第２ラベル２０のいずれが表側になっても）、その載置状態のまま容器３３の内容物に関する情報（例えば医薬品３０の構成材料、販売品名、製造元、製造番号、使用期限、開封方法、特長等）Ｊを視認することができる。しかも、その情報Ｊは、分割ラベル２の情報の表示スペースを含んでラベル１０，２０の表面全体（各封入粘着層１１，２１の表側部分を含む）に記載されている。このため、一方向から表示ラベル１を見た場合、具体的には第１ラベル１０あるいは第２ラベル２０の一方側から見た場合に、視認できる情報Ｊの量をより多くすることができる。例えばアンプル容器のような円筒形状のものに対してラベルを巻き付けた場合では、一方向から見て視認できるラベル表面の情報はアンプル容器の直径寸法の幅に限定されてしまう。
【００３１】
なお、表示ラベルにおける情報の記載構成は、実施形態中のものに限定されない。実施形態中では、第１、第２の両方のラベルに情報を記載しているが、いずれか一方のラベル表面にのみ情報を記載するようにしてもよい。ただし、この場合、情報の表示スペースとなる分割ラベルを設けたラベルが表面に情報を記載したラベルとなる。また、情報の記載領域は必ずしもラベルの表面全体とするものではない。例えば分割ラベルを備えた一方のラベルに対しては分割ラベルにのみ情報を記載し、分割ラベルを備えない他方のラベルに対しては表面全体に情報を記載するようにしてもよい。また、実施形態中では、分割ラベルを一方のラベルにのみ設けた場合を例示しているが、必ずしもこの構成に限定するものではなく、第１、第２ラベルの両方に分割ラベルを設けるようにしてもよい。
【００３２】
また、容器３３は、その両端部側がそれぞれ内側に折りたたまれ、吸い口部３４が吸い口挿入部３５に挿入された状態で表示ラベル１に封入されるので、未使用時の容器３３（具体的には吸い口部３４）をより一層衛生的に保つことができる。そして、表示ラベル１から容器３３を引き出すときには、剥離粘着層２２が引き出し方向の抵抗となって吸い口部３４が自動的に吸い口挿入部３５から抜け出す。このため、容器３３を表示ラベル１から取り出した後に吸い口部３４を吸い口挿入部３５から抜き取るという操作をわざわざ行う必要がなくなるので、医薬品３０を使用する際（医薬組成物３１を服用する際）の使用操作性を高めることができる。
【００３３】
なお、上記した実施形態では、表示ラベルによって封入する容器の内容物を医薬品としているが、これに限定するものではなく、開封部分を飲み口（又は吸い口）として摂取可能な内容物（例えば健康食品など）であればいずれの構成であってもよい。また、容器の構成についても、実施形態中に記載のもの（例えば吸い口部を吸い口挿入部に挿入した折りたたみ状態となる構成）に限定せず、例えば上端部に開封用の切り口線（ミシン目）が設けられたスティック型の容器などであってもよく、さらにはアンプル容器、シリンジ容器、バイアル容器等を本発明に係る容器としてもよい。
【００３４】
また、上記した実施形態では、表示ラベルの開封部及び分割ラベルの切り離し部分をそれぞれミシン目で形成しているが、これに限らず、切れ目、半切り溝、あるいはミシン目、切れ目、半切り溝を組み合わせたものなどで形成してもよい。さらには、表示ラベル（第１、第２ラベル）の外形形状についても、長方形状に限定するものではなくいずれの形状であってもよい。
【００３５】
上記実施形態から把握し得る請求項以外の技術的思想について、以下にその効果と共に記載する。
【００３６】
前記吸い口部（３４）は、
医薬組成物（３１）を収容する医薬組成物収容部（３７）と、
未使用時には閉塞された通路であり、使用者が前記医薬組成物を服用する際の操作外力を受けて開放することで前記医薬組成物収容部と外部とを連通して、医薬組成物の出口となる出口形成予定部（３８）と、を備え、
前記中間部には、前記医薬組成物の嚥下を補助するための嚥下補助物質（３２）を収容する嚥下補助物質収容部（３６）が形成され、
前記医薬組成物収容部と前記嚥下補助物質収容部との間には、未使用時には閉塞された通路であり、使用者が前記医薬組成物を服用する際の操作外力を受けて開放することで前記嚥下補助物質収容部と前記医薬組成物収容部とを連通して、前記嚥下補助物質を前記医薬組成物収容部に送り込む弱シール部（３９，４１）が形成され、
前記嚥下補助物質収容部と前記吸い口挿入部との間には、前記弱シール部に比べてシール強度が強く、使用者が前記医薬組成物を服用する際の操作外力を受けても開放しない強シール部（４２）が形成されていることを特徴とする表示ラベル。
【００３７】
これによれば、医薬組成物とその医薬組成物の嚥下を補助するための嚥下補助物質とを個別に容器内に収容することができ、しかも使用者が医薬組成物を服用する際には、出口形成予定部から医薬組成物と嚥下補助物質とを一緒に摂取することができるので、医薬組成物及び嚥下補助物質を備えた医薬品の携帯性を高めることができるとともに、医薬組成物を服用する際の使用操作性を高めることができる。
【００３８】
以上、本発明の実施形態を説明したが、これらはあくまで例示に過ぎず、本発明はこれらに限定されるものではなく、特許請求の範囲の趣旨を逸脱しない限りにおいて種々の変更が可能である。
【符号の説明】
【００３９】
１  表示ラベル
２  分割ラベル
３  開封部
４  摘み部
１０  第１ラベル
１１  封入粘着層（封入粘着部）
１２  貼付粘着層（第１粘着部）
１３  開封ミシン目
１４  分割ミシン目
２０  第２ラベル
２１  封入粘着層（封入粘着部）
２２  剥離粘着層（第２粘着部）
２３  開封ミシン目
３０  医薬品
３１  医薬組成物
３２  嚥下補助物質
３３  容器
３４  吸い口部
３５  吸い口挿入部
３６  嚥下補助物質収容部
３７  医薬組成物収容部
３８  出口形成予定部
Ｄ  デザイン画
Ｉ  開封位置
Ｊ  情報
【図１】
2014085459.tif 000003
【図２】
2014085459.tif 000004
【図３】
2014085459.tif 000005
【図４】
2014085459.tif 000006
【図５】
2014085459.tif 000007
【図６】
2014085459.tif 000008
【図７】
2014085459.tif 000009